(57)【要約】【課題】従来の出力装置においては、半田の状態の変化を適切に把握することができない、という課題があった。【解決手段】半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付部１０１と、時間に沿って、受付部１０１が受け付けた測定情報をプロットしたグラフであって、測定情報がプロットされた位置に対応して、処理回数情報が出力されるグラフである時間グラフを出力するための情報である時間グラフ情報を構成する時間グラフ情報構成部１０３と、時間グラフ情報構成部１０３が構成した時間グラフ情報を出力する出力部１０５とを具備するようにした。【選択図】図５
2008062265.tif 000002
【特許請求の範囲】
【請求項１】
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付部と、
前記時間に沿って、前記測定情報をプロットしたグラフであって、前記測定情報がプロットされた位置に対応して、前記処理回数情報が出力されるグラフである時間グラフを出力するための情報である時間グラフ情報を構成する時間グラフ情報構成部と、
前記時間グラフ情報を出力する出力部とを具備する出力装置。
【請求項２】
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付部と、
前記処理回数に沿って、前記測定情報をプロットしたグラフであって、前記測定情報がプロットされた位置に対応して、前記時間情報が出力されるグラフである回数グラフを出力するための情報である回数グラフ情報を構成する回数グラフ情報構成部と、
前記回数グラフ情報を出力する出力部とを具備する出力装置。
【請求項３】
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付部と、
前記時間に沿って、前記測定情報をプロットしたグラフであって、前記測定情報がプロットされた位置に対応して、前記処理回数情報が出力されるグラフである時間グラフを出力するための情報である時間グラフ情報を構成する時間グラフ情報構成部と、
前記処理回数に沿って、前記測定情報をプロットしたグラフであって、前記測定情報がプロットされた位置に対応して、前記時間情報が出力されるグラフである回数グラフを出力するための情報である回数グラフ情報を構成する回数グラフ情報構成部と、
前記時間グラフ情報と前記回数グラフ情報とを用いて、前記時間グラフと回数グラフとを切り替えて出力する出力部とを具備する出力装置。
【請求項４】
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付部と、
前記時間情報に応じて、半田の使用状況を判断する判断部と、
前記測定情報と、前記処理回数情報と、前記判断部の判断結果とを用いて、処理回数に沿った測定情報のグラフを出力するための情報であって、半田の使用状況を示すための情報が含まれる情報であるグラフ情報を構成するグラフ情報構成部と、
前記グラフ情報を出力する出力部とを具備する出力装置。
【請求項５】
前記判断部は、前記時間情報に応じて、半田が使用状態であるか否かを判断し、
前記グラフ情報構成部は、前記判断部が使用状態でないと判断した区間内のグラフの線の出力属性が、他の線の出力属性と異なるグラフ情報を構成する請求項４記載の出力装置。
【請求項６】
前記判断部は、前記時間情報に応じて、半田が使用状態であるか否かを判断し、
前記グラフ情報構成部は、前記判断部が使用状態でないと判断した区間内のグラフの背景の出力属性が、他の背景の出力属性と異なるグラフ情報を構成する請求項４記載の出力装置。
【請求項７】
前記判断部は、前記時間情報に応じて、半田が使用状態であるか否かを判断し、
前記グラフ情報構成部は、前記判断部が使用状態でないと判断した区間と使用状態であると判断した区間との境界の背景に、線を出力するグラフ情報を構成する請求項４記載の出力装置。
【請求項８】
前記測定情報の取得は、前記半田の使用時にのみ行われるものであり、
前記判断部は、時間軸上で隣接した測定情報の時間情報の差が、所定の値より大きい場合に、当該測定情報間の時間において半田が使用状態でないと判断する請求項４から請求項７いずれか記載の出力装置。
【請求項９】
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付部と、
前記測定情報と、前記処理回数情報とを用いて、処理回数に沿った測定情報のグラフである第一グラフを出力するための情報である第一グラフ情報を構成する第一グラフ情報構成部と、
前記測定情報と、前記時間情報とを用いて、時間に沿った測定情報のグラフである第二グラフを出力するための情報である第二グラフ情報を構成する第二グラフ情報構成部と、
前記第一グラフ情報と前記第二グラフ情報とを用いて、前記第一グラフと第二グラフとを切り替えて出力する出力部とを具備する出力装置。
【請求項１０】
前記時間情報は、所定の時点からの経過時間、または時刻の情報である請求項１から請求項９いずれか記載の出力装置。
【請求項１１】
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、
前記時間に沿って、前記測定情報をプロットしたグラフであって、前記測定情報がプロットされた位置に対応して、前記処理回数情報が出力されるグラフである時間グラフを出力するための情報である時間グラフ情報を構成する時間グラフ情報構成ステップと、
前記時間グラフ情報を出力する出力ステップとを具備する出力方法。
【請求項１２】
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、
前記処理回数に沿って、前記測定情報をプロットしたグラフであって、前記測定情報がプロットされた位置に対応して、前記時間情報が出力されるグラフである回数グラフを出力するための情報である回数グラフ情報を構成する回数グラフ情報構成ステップと、
前記回数グラフ情報を出力する出力ステップとを具備する出力方法。
【請求項１３】
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、
前記時間に沿って、前記測定情報をプロットしたグラフであって、前記測定情報がプロットされた位置に対応して、前記処理回数情報が出力されるグラフである時間グラフを出力するための情報である時間グラフ情報を構成する時間グラフ情報構成ステップと、
前記処理回数に沿って、前記測定情報をプロットしたグラフであって、前記測定情報がプロットされた位置に対応して、前記時間情報が出力されるグラフである回数グラフを出力するための情報である回数グラフ情報を構成する回数グラフ情報構成ステップと、
前記時間グラフ情報と前記回数グラフ情報とを用いて、前記時間グラフと回数グラフとを切り替えて出力する出力ステップとを具備する出力方法。
【請求項１４】
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、
前記時間情報に応じて、半田の使用状況を判断する判断ステップと、
前記測定情報と、前記処理回数情報と、前記判断部の判断結果とを用いて、処理回数に沿った測定情報のグラフを出力するための情報であって、半田の使用状況を示すための情報が含まれる情報であるグラフ情報を構成するグラフ情報構成ステップと、
前記グラフ情報を出力する出力ステップとを具備する出力方法。
【請求項１５】
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、
前記測定情報と、前記処理回数情報とを用いて、処理回数に沿った測定情報のグラフである第一グラフを出力するための情報である第一グラフ情報を構成する第一グラフ情報構成ステップと、
前記測定情報と、前記時間情報とを用いて、時間に沿った測定情報のグラフである第二グラフを出力するための情報である第二グラフ情報を構成する第二グラフ情報構成ステップと、
前記第一グラフ情報と前記第二グラフ情報とを用いて、前記第一グラフと第二グラフとを切り替えて出力する出力ステップとを具備する出力方法。
【請求項１６】
コンピュータに、
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、
前記時間に沿って、前記測定情報をプロットしたグラフであって、前記測定情報がプロットされた位置に対応して、前記処理回数情報が出力されるグラフである時間グラフを出力するための情報である時間グラフ情報を構成する時間グラフ情報構成ステップと、
前記時間グラフ情報を出力する出力ステップとを実行させるためのプログラム。
【請求項１７】
コンピュータに、
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、
前記処理回数に沿って、前記測定情報をプロットしたグラフであって、前記測定情報がプロットされた位置に対応して、前記時間情報が出力されるグラフである回数グラフを出力するための情報である回数グラフ情報を構成する回数グラフ情報構成ステップと、
前記回数グラフ情報を出力する出力ステップとを実行させるためのプログラム。
【請求項１８】
コンピュータに、
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、
前記時間に沿って、前記測定情報をプロットしたグラフであって、前記測定情報がプロットされた位置に対応して、前記処理回数情報が出力されるグラフである時間グラフを出力するための情報である時間グラフ情報を構成する時間グラフ情報構成ステップと、
前記処理回数に沿って、前記測定情報をプロットしたグラフであって、前記測定情報がプロットされた位置に対応して、前記時間情報が出力されるグラフである回数グラフを出力するための情報である回数グラフ情報を構成する回数グラフ情報構成ステップと、
前記時間グラフ情報と前記回数グラフ情報とを用いて、前記時間グラフと回数グラフとを切り替えて出力する出力ステップとを実行させるためのプログラム。
【請求項１９】
コンピュータに、
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、
前記時間情報に応じて、半田の使用状況を判断する判断ステップと、
前記測定情報と、前記処理回数情報と、前記判断部の判断結果とを用いて、処理回数に沿った測定情報のグラフを出力するための情報であって、半田の使用状況を示すための情報が含まれる情報であるグラフ情報を構成するグラフ情報構成ステップと、
前記グラフ情報を出力する出力ステップとを実行させるためのプログラム。
【請求項２０】
コンピュータに、
半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、
前記測定情報と、前記処理回数情報とを用いて、処理回数に沿った測定情報のグラフである第一グラフを出力するための情報である第一グラフ情報を構成する第一グラフ情報構成ステップと、
前記測定情報と、前記時間情報とを用いて、時間に沿った測定情報のグラフである第二グラフを出力するための情報である第二グラフ情報を構成する第二グラフ情報構成ステップと、
前記第一グラフ情報と前記第二グラフ情報とを用いて、前記第一グラフと第二グラフとを切り替えて出力する出力ステップとを実行させるためのプログラム。
【請求項２１】
請求項１６から請求項２０いずれか記載のプログラムを記録した記録媒体。
【発明の詳細な説明】
【技術分野】
【０００１】
本発明は、半田の状態についての測定情報等を、グラフ等を用いて出力する出力装置等に関するものである。
【背景技術】
【０００２】
従来の半田の特性を検査する方法等としては、半田に光を照射して、半田から反射される特定波長の赤外光の強度から半田の劣化度を検査するものがあった。（例えば、特許文献１参照）。
【０００３】
一方、半田の特性は、時間の経過に伴って変化していくとともに、その使用状態によっても変化の度合いが異なると考えられている。例えば、印刷が可能なペースト状の半田においては、使用状態においてはスキージ等で繰り返し撹拌されることとなるが、この撹拌により、撹拌されていない非使用時と比べ、変化の度合いが大きいと考えられている。また、非使用状態において、半田が容器等に回収され、冷暗所で保管される場合、変化の度合いは、室温下で放置された場合よりも小さいと考えられている。
【特許文献１】特許第３７７５４２６号明細書（第１頁、第１図等）
【発明の開示】
【発明が解決しようとする課題】
【０００４】
しかしながら、従来は、半田の所望の状態の測定結果を、時間軸に沿ってプロットしたグラフか、もしくは半田の処理回数、例えば印刷回数、の軸に沿ってプロットしたグラフかのいずれか一方で表示していたため、半田の状態の変化を適切に把握することができない、という課題があった。
【０００５】
例えば、時間軸に沿って半田の状態を示す測定情報をプロットしたグラフを用いた場合、プロットされた個々の測定情報が、半田の使用時、例えば印刷が行われている時、にサンプリングされ測定されたものであるか否かを監視者が判断することができなかった。例えば、午後１０時と翌日の午前９時までの間、印刷が行われずに半田が放置されていたとしても、グラフからは、このような半田が非使用の状態が続いたことを読み取ることができなかった。このため、この時間においては、半田がスキージにより撹拌されず、半田の変化、例えば劣化の進行が遅くなっていたとしても、その変化が遅い理由を、監視者が瞬時に推測することが困難であった。
【０００６】
また、半田の処理回数の軸に沿ったグラフにおいても、半田が、非使用となった状態があったか、否かを判断できなかった。例えば、半田の印刷回数が３００回と３０１回との間に、印刷が行われずに半田が放置された状態が、１週間あったとしても、処理回数を軸としたグラフからはこのような放置された状態が存在したことを判断できなかった。このため、３００回と３０１回との間の変化、例えば劣化が、１週間という期間の経時的な変化により大きく進行して、測定情報が大きく変化していても、監視者には、３００回と３０１回との間の測定情報の変化が大きい理由を、瞬時に推測することができなかった。
【課題を解決するための手段】
【０００７】
本発明の出力装置は、半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付部と、前記時間に沿って、前記測定情報をプロットしたグラフであって、前記測定情報がプロットされた位置に対応して、前記処理回数情報が出力されるグラフである時間グラフを出力するための情報である時間グラフ情報を構成する時間グラフ情報構成部と、前記時間グラフ情報を出力する出力部とを具備する出力装置である。
【０００８】
かかる構成により、測定情報を取得した際の時間情報と、測定情報を取得した際の処理回数情報とを同時に把握することができ、時間情報と処理回数情報とから、半田の使用状態等を推定することが可能となり、半田の状態の変化を適切に把握することができる。
【０００９】
また、本発明の出力装置は、前記出力装置において、半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付部と、前記処理回数に沿って、前記測定情報をプロットしたグラフであって、前記測定情報がプロットされた位置に対応して、前記時間情報が出力されるグラフである回数グラフを出力するための情報である回数グラフ情報を構成する回数グラフ情報構成部と、前記回数グラフ情報を出力する出力部とを具備する出力装置である。
【００１０】
かかる構成により、測定情報を取得した際の時間情報と、測定情報を取得した際の処理回数情報とを同時に把握することができ、時間情報と処理回数情報とから、半田の使用状態等を推定することが可能となり、半田の状態の変化を適切に把握することができる。
【００１１】
また、本発明の出力装置は、前記出力装置において、半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付部と、前記時間に沿って、前記測定情報をプロットしたグラフであって、前記測定情報がプロットされた位置に対応して、前記処理回数情報が出力されるグラフである時間グラフを出力するための情報である時間グラフ情報を構成する時間グラフ情報構成部と、前記処理回数に沿って、前記測定情報をプロットしたグラフであって、前記測定情報がプロットされた位置に対応して、前記時間情報が出力されるグラフである回数グラフを出力するための情報である回数グラフ情報を構成する回数グラフ情報構成部と、前記時間グラフ情報と前記回数グラフ情報とを用いて、前記時間グラフと回数グラフとを切り替えて出力する出力部とを具備する出力装置である。
【００１２】
かかる構成により、測定情報を取得した際の時間情報と、測定情報を取得した際の処理回数情報とを同時に把握することができ、時間情報と処理回数情報とから、半田の使用状態等を推定することが可能となり、半田の状態の変化を適切に把握することができる。また、時間グラフと回数グラフとを切り替えて表示することができるため、半田の状態の変化を把握しやすい方のグラフを選択的に表示させたり、異なる視点から半田の状態の変化を把握したりすることが可能となり、半田の状態の変化をより適切に把握することができる。
【００１３】
また、本発明の出力装置は、前記出力装置において、半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付部と、前記時間情報に応じて、半田の使用状況を判断する判断部と、前記測定情報と、前記処理回数情報と、前記判断部の判断結果とを用いて、処理回数に沿った測定情報のグラフを出力するための情報であって、半田の使用状況を示すための情報が含まれる情報であるグラフ情報を構成するグラフ情報構成部と、前記グラフ情報を出力する出力部とを具備する出力装置である。
【００１４】
かかる構成により、半田の使用状況等をユーザが認識することができ、半田の状態の変化を適切に把握することができる。
【００１５】
また、本発明の出力装置は、前記出力装置において、前記判断部は、前記時間情報に応じて、半田が使用状態であるか否かを判断し、前記グラフ情報構成部は、前記判断部が使用状態でないと判断した区間内のグラフの線の出力属性が、他の線の出力属性と異なるグラフ情報を構成する出力装置である。
【００１６】
かかる構成により、半田の使用状況等をユーザが認識することができ、半田の状態の変化を適切に把握することができる。
【００１７】
また、本発明の出力装置は、前記出力装置において、前記判断部は、前記時間情報に応じて、半田が使用状態であるか否かを判断し、前記グラフ情報構成部は、前記判断部が使用状態でないと判断した区間内のグラフの背景の出力属性が、他の背景の出力属性と異なるグラフ情報を構成する出力装置である。
【００１８】
かかる構成により、半田の使用状況等をユーザが認識することができ、半田の状態の変化を適切に把握することができる。
【００１９】
また、本発明の出力装置は、前記出力装置において、前記判断部は、前記時間情報に応じて、半田が使用状態であるか否かを判断し、前記グラフ情報構成部は、前記判断部が使用状態でないと判断した区間と使用状態であると判断した区間との境界の背景に、線を出力するグラフ情報を構成する出力装置である。
【００２０】
かかる構成により、半田の使用状況等をユーザが認識することができ、半田の状態の変化を適切に把握することができる。
【００２１】
また、本発明の出力装置は、前記出力装置において、前記測定情報の取得は、前記半田の使用時にのみ行われるものであり、前記判断部は、時間軸上で隣接した測定情報の時間情報の差が、所定の値より大きい場合に、当該測定情報間の時間において半田が使用状態でないと判断する出力装置である。
【００２２】
かかる構成により、半田が使用状態であるか否かを適切にかつ高速に判断することができる。
【００２３】
また、本発明の出力装置は、前記出力装置において、半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付部と、前記測定情報と、前記処理回数情報とを用いて、処理回数に沿った測定情報のグラフである第一グラフを出力するための情報である第一グラフ情報を構成する第一グラフ情報構成部と、前記測定情報と、前記時間情報とを用いて、時間に沿った測定情報のグラフである第二グラフを出力するための情報である第二グラフ情報を構成する第二グラフ情報構成部と、前記第一グラフ情報と前記第二グラフ情報とを用いて、前記第一グラフと第二グラフとを切り替えて出力する出力部とを具備する出力装置である。
【００２４】
かかる構成により、測定情報の処理回数に応じた変化と、測定情報の時間に応じた変化とを切り替えることで、半田の使用状態等を推定することが可能となり、半田の状態の変化を適切に把握することができる。
【００２５】
また、本発明の出力装置は、前記出力装置において、前記時間情報は、所定の時点からの経過時間、または時刻の情報である出力装置である。
【００２６】
かかる構成により、半田の状態の変化を適切に把握することができる。
【発明の効果】
【００２７】
本発明による出力装置等によれば、半田の状態の変化を適切に把握することができる。
【発明を実施するための最良の形態】
【００２８】
以下、出力装置等の実施形態について図面を参照して説明する。なお、実施の形態において同じ符号を付した構成要素は同様の動作を行うので、再度の説明を省略する場合がある。
【００２９】
（実施の形態１）
図１は、本実施の形態における出力装置のブロック図である。
【００３０】
出力装置１０は、受付部１０１、蓄積部１０２、時間グラフ情報構成部１０３、回数グラフ情報構成部１０４、出力部１０５、指示受付部１０６および測定情報格納部１０７を具備する。
【００３１】
受付部１０１は、半田の状態について測定された情報である測定情報と、当該測定情報を取得した時間についての情報である時間情報と、当該測定情報を取得した際に半田を用いて行われていた処理の回数の情報である処理回数情報とを、受け付ける。半田の主成分は、例えば、錫（Ｓｎ）や鉛（Ｐｂ）等の金属である。具体例としては、８０〜９０％の錫と、１〜３％の銀と、１％未満の銅と、２〜４％のジエチレンモノヘキシルエーテルと、１％未満の２−エチル−１，３−ヘキサンジオールと４〜６％のロジンとを含む半田が用いられるが、半田の成分や、成分比等は問わない。ここでは、例として、印刷が可能なペースト状の半田を用いた場合を例に挙げて説明する。半田の状態について測定された情報である測定情報とは、半田の状態に関する測定情報であれば、どのような測定情報であっても良い。また、半田の状態とは、半田の劣化状態等、半田のどのような状態であっても良い。半田の状態について測定された情報である測定情報とは、例えば、上述した特許文献１において説明した検査方法等により測定可能な、半田の粘度や酸化度、中和度、還元度等の測定情報である。測定情報とは、具体的には測定値や、測定値を含む情報等であるまた、この測定情報は、どのような方法により測定された値であってもよい。例えば、上述した特許文献１に開示されている測定方法等を用いて測定された測定情報であってもよい。時間情報は、複数の半田の測定情報を取得した時間についての情報である。例えば、複数の半田の測定情報を取得した際のそれぞれの、各国の標準時等の時刻の情報である。この時刻の情報は、年月日の情報等を適宜含んでも良い。また、時間情報は、例えば、所定の時点からの経過時間の情報である。所定の時点は、通常は、測定対象となる半田の使用開始時、例えば印刷開始時、や、密封されている半田を開封した時点等である。ただし、所定の時点は、半田の使用開始時以前の時点であれば、その他の時点であってもよい。処理回数情報は、例えば、半田を用いて行われた処理の回数を示す情報である。半田を用いて行われた処理の回数とは、半田を用いたどのような処理の回数であっても良く、例えば、測定が行われた時点での、半田を用いた印刷回数であっても良い。また、半田に対して撹拌等を行う処理を、半田を用いた処理と考えて、半田の撹拌回数等を示す情報を、処理回数情報としても良い。測定情報は、定期的に測定された情報であることが好ましいが、測定情報が取得されたタイミングや頻度等は問わない。例えば、取得された測定情報は、定期的、あるいは不定期に取得されたものであっても良い。また、測定情報は半田を使用する装置の所定の動作等をトリガーとして取得されたものであっても良い。なお、測定情報は、通常は、半田の使用時、例えば印刷時にのみに測定されればよいが、非使用時にも測定されるようにしても良い。受付部１０１は、通常、互いに対応付けられた測定情報と時間情報と処理回数情報とを受け付ける。ここで述べる測定情報、時間情報、および処理回数情報の受付とは、例えば、入力手段からの受付や、他の機器等から送信される入力信号の受信や、記録媒体等からの情報の読み出し等である。受付部１０１は、プリント基板等に、半田の印刷を行う装置等が出力する測定情報等を直接受け付けるようにしても良い。入力手段は、テンキーやキーボードやマウスやメニュー画面によるものや、通信装置や、記録媒体の読み出し装置等、何でも良い。受付部１０１は、テンキーやキーボード等の入力手段のデバイスドライバーや、通信装置のドライバや、記録媒体の読み出し装置のドライバや、メニュー画面の制御ソフトウェア等で実現され得る。
【００３２】
蓄積部１０２は、受付部１０１が受け付けた半田の状態について測定された情報である測定情報と、時間情報と、処理回数情報とを、後述する測定情報格納部１０７に蓄積する。通常、各測定情報に対応した時間情報及び処理回数情報は、各測定情報に対応付けられて、例えば、測定情報と同じレコードを構成するように、蓄積される。蓄積部１０２は、通常、ＭＰＵやメモリ等から実現され得る。蓄積部１０２の処理手順は、通常、ソフトウェアで実現され、当該ソフトウェアはＲＯＭ等の記録媒体に記録されている。但し、ハードウェア（専用回路）で実現しても良い。
【００３３】
時間グラフ情報構成部１０３は、時間に沿って、測定情報をプロットしたグラフであって、測定情報がプロットされた位置に対応して、処理回数情報が出力されるグラフである時間グラフを出力するための情報である時間グラフ情報を構成する。具体的には、時間グラフ情報構成部１０３は、受付部１０１が受け付けた半田の状態について測定された測定情報と、時間情報と、処理回数情報とを、蓄積部１０２が蓄積したメモリ等の記録媒体から読み出す等により取得する。そして、測定情報とこれに対応付けられた時間情報と用いて、測定情報と時間との関係を示すグラフを出力、例えば表示や印刷するための情報を構成するとともに、この情報の、グラフの測定情報がプロットされる位置に対応した位置に、プロットされた測定情報に対応づけられた処理回数情報を出力する情報を付加して、時間グラフを出力するための時間グラフ情報を構成する。この処理回数情報を出力する情報は、例えば処理回数情報を、数字等の文字列や画像として出力する情報である。ここでは、処理回数情報の一部や、処理回数情報を処理した情報を出力することも、処理回数情報を出力することと考える。例えば、処理回数を示す値の１桁を四捨五入して得られた値を出力することも処理回数情報を出力することと考える。「測定情報がプロットされた位置に対応して、処理回数情報が出力」とは、測定情報がプロットされた位置と、測定情報に対応した処理回数情報との、対応関係が明確に分かるよう処理回数情報が出力、具体的には表示や印刷、されることであり、例えば、測定情報がプロットされる位置の近傍に、対応する処理回数情報が出力されたり、測定情報がプロットされる位置と、これに対応する処理回数情報とが、線や吹き出し等の図形を用いて、明示的に対応付けられることである。ただし、ここでは、測定情報がプロットされた位置が、シンボル等によりグラフ上に明示される必要は必ずしもない。ここで述べるグラフとは、折れ線グラフや、棒グラフ等、時間軸に沿って測定情報を出力可能な情報であれば、どのようなグラフであってもよい。グラフの出力属性、例えば、点の色、点の形状、線の色、線種などは、予め設定されていても良いし、グラフを出力する指示とともに、属性を指定する情報を受け付けても良い。時間グラフ情報構成部１０３は、この属性を指定する情報を等に応じたグラフの出力属性等を、図示しないメモリ等の記録媒体から読み出して、グラフに適用する。ここで述べる「時間に沿って」とは、具体的には、時間軸に沿ってという意味である。また、「時間に沿って、測定情報をプロットしたグラフ」とは、例えば、時間軸をＸ軸として、測定情報をＹ軸としたグラフ、もしくは時間軸をＹ軸として、測定情報をＸ軸としたグラフである。なお、このように、時間情報と測定情報とを用いてグラフを出力する情報を構成するための処理や構造、および測定情報がプロットされる位置に、測定情報に対応した他の情報を出力するための処理や構造は、グラフを作成する装置やソフトウェア等により公知の技術であるので、ここでは詳細な説明は省略する。時間グラフ情報構成部１０３は、通常、ＭＰＵやメモリ等から実現され得る。時間グラフ情報構成部１０３の処理手順は、通常、ソフトウェアで実現され、当該ソフトウェアはＲＯＭ等の記録媒体に記録されている。但し、ハードウェア（専用回路）で実現しても良い。
【００３４】
回数グラフ情報構成部１０４は、処理回数に沿って、測定情報をプロットしたグラフであって、測定情報がプロットされた位置に対応して、時間情報が出力されるグラフである回数グラフを出力するための情報である回数グラフ情報を構成する。具体的には、回数グラフ情報構成部１０４は、受付部１０１が受け付けた半田の状態について測定された測定情報と、時間情報と、処理回数情報とを、蓄積部１０２が蓄積したメモリ等の記録媒体から読み出す等により取得する。そして、測定情報とこれに対応付けられた処理回数情報と用いて、測定情報と処理回数との関係を示すグラフを出力、例えば表示や印刷するための情報を構成するとともに、この情報の、グラフの測定情報がプロットされる位置に対応した位置に、プロットされた測定情報に対応づけられた時間情報を出力する情報を加えて、回数グラフを出力するための回数グラフ情報を構成する。この時間情報を出力する情報は、例えば時間情報を、数字等の文字列や画像として出力する情報である。ここでは、時間情報の一部や、時間情報を処理した情報を出力することも、時間情報を出力することと考える。例えば、日付を含む時刻を有する時間情報の、日付の部分を削除した時刻の情報のみを出力することや、秒単位の情報を切り捨てた情報を出力することと等も時刻情報を出力することと考える。「測定情報がプロットされた位置に対応して、時間情報が出力」とは、測定情報がプロットされた位置と、測定情報に対応した時間情報との、対応関係が明確に分かるよう出力、具体的には表示や印刷、されることであり、例えば、測定情報がプロットされる位置の近傍に、対応する時間情報が出力されたり、測定情報がプロットされる位置と、これに対応する時間情報とが、線や吹き出し等の図形を用いて、明示的に対応付けられることである。ただし、ここでは、測定情報がプロットされた位置が、シンボル等によりグラフ上に明示される必要は必ずしもない。ここで述べるグラフとは、折れ線グラフや、棒グラフ等、処理回数を示す軸に沿って測定情報を出力可能な情報であれば、どのようなグラフであってもよい。グラフの出力属性、例えば、点の色、点の形状、線の色、線種などは、予め設定されていても良いし、グラフを出力する指示とともに、属性を指定する情報を受け付けても良い。回数グラフ情報構成部１０４は、この属性を指定する情報を等に応じたグラフの出力属性等を、図示しないメモリ等の記録媒体から読み出して、グラフに適用する。ここで述べる「処理回数に沿って」とは、具体的には、処理回数の軸に沿って、という意味である。また、「処理回数に沿って、測定情報をプロットしたグラフ」とは、例えば、処理回数の軸をＸ軸として、測定情報をＹ軸としたグラフ、もしくは処理回数の軸をＹ軸として、測定情報をＸ軸としたグラフである。なお、このように、処理回数情報と測定情報とを用いてグラフを出力する情報を構成するための処理や構造、および測定情報がプロットされる位置に、測定情報に対応した他の情報を出力するための処理や構造は、グラフを作成する装置やソフトウェア等により公知の技術であるので、ここでは詳細な説明は省略する。回数グラフ情報構成部１０４は、通常、ＭＰＵやメモリ等から実現され得る。回数グラフ情報構成部１０４の処理手順は、通常、ソフトウェアで実現され、当該ソフトウェアはＲＯＭ等の記録媒体に記録されている。但し、ハードウェア（専用回路）で実現しても良い。
【００３５】
出力部１０５は、時間グラフ情報と回数グラフ情報とを用いて、時間グラフと回数グラフとを切り替えて出力する。具体的には、時間グラフ情報構成部１０３から時間グラフ情報を取得して時間グラフを出力し、回数グラフ情報構成部１０４から回数グラフ情報を取得して回数グラフを出力する。時間グラフと回数グラフとを切り替えるタイミングやトリガー等は問わない。例えば、定期や不定期等の所定の時間毎に、時間グラフと回数グラフとを切り替えて表示するようにしてもよい。また、ユーザからの切り替え指示や、いずれか一方のグラフを出力する指示を受け付けた場合に、この指示に従って時間グラフと回数グラフとを切り替えて出力しても良い。ここで述べる出力とは、ディスプレイへの表示、プリンタによる紙等への印字、外部の装置への送信、記録媒体等への蓄積等を含む概念である。出力部１０５は、ディスプレイやプリンタ等の出力デバイスを含むと考えても含まないと考えても良い。出力部１０５は、出力デバイスのドライバーソフトまたは、出力デバイスのドライバーソフトと出力デバイス等で実現され得る。
【００３６】
指示受付部１０６は、指示を受け付ける。この指示は、通常、出力装置１０に接続されているキーボードやマウス等から受け付けるが、他の装置等から受け付けても良い。指示受付部１０６が受け付ける指示は、例えば、グラフ、具体的には時間グラフまたは回数グラフ、の出力指示や、これらのグラフの切り替え指示や、これらのグラフの出力終了指示などである。また、指示受付部１０６が受け付ける指示は、グラフの種類（棒グラフ、折れ線グラフなど）の情報を含んでも良い。また、指示受付部１０６が受け付ける指示は、グラフ出力する測定情報の種類（粘度や、酸化度、中和度、還元度など）を指定する指示を含んでも良い。また、出力指示は、グラフを構成する点や線の属性を指定する属性情報を含んでも良い。属性情報とは、点の色、点の形状、線の色、線種などを指定する情報である。指示受付部１０６が受け付ける指示の入力手段は、テンキーやキーボードやマウスやメニュー画面によるもの等、何でも良い。指示受付部１０６は、テンキーやキーボード等の入力手段のデバイスドライバーや、メニュー画面の制御ソフトウェア等で実現され得る。
【００３７】
測定情報格納部１０７は、受付部１０１が受け付けた複数の測定情報と、これに対応した時間情報および処理価数情報を格納し得る。この格納は一時的な格納であってもよい。測定情報格納部１０７は、不揮発性の記録媒体が好適であるが、揮発性の記録媒体でも実現可能である。
【００３８】
次に、出力装置の動作について図２のフローチャートを用いて説明する。なお、ここでは、Ｘ軸を処理回数情報または時間情報、Ｙ軸を測定情報としたグラフを出力する場合を例に挙げて説明する。なお、図２のフローチャートにおいて、グラフの出力指示を受け付ける前に、複数の測定情報と、これらに対応付けられた時間情報および処理回数情報が、受付部１０１により受け付けられ、蓄積部１０２により測定情報格納部１０７に蓄積されている、とする。
【００３９】
（ステップＳ２０１）指示受付部１０６が、グラフの出力指示を受け付けたか否かを判断する。受け付けた場合、ステップＳ２０２に進み、受け付けていない場合、ステップＳ２０１に戻る。
【００４０】
（ステップＳ２０２）出力部１０５は、時間グラフを出力するか否かを判断する。例えば、出力部１０５は、指示受付部１０６の受け付けた出力指示が、時間グラフを出力する指示であるか否かを判断する。あるいは、予め、初期設定等により、時間グラフを出力するよう指定されているか否かを判断する。時間グラフを出力する場合、ステップＳ２０３に進み、時間グラフを出力しない場合、ステップＳ２０８に進む。なお、この処理は、出力装置１０内の他の処理部が行うようにしても良い。
【００４１】
（ステップＳ２０３）時間グラフ情報構成部１０３は、時間と測定情報との関係を示すグラフを出力する情報を構成する。具体的には、時間グラフ情報構成部１０３は、測定情報格納部１０７に格納された測定情報とこれに対応する時間情報を順次読み出し、時間軸に沿って測定情報をプロットしたグラフを出力する情報を構成する。ここでは例として、時間グラフ情報構成部１０３は、グラフのＸ軸を時間軸とし、Ｙ軸を測定情報に設定し、メモリ等から読み出した測定情報とこれに対応する時間情報とを、それぞれＹ座標の値、Ｘ座標の値としてプロットして、グラフを出力するための情報を構成する。なお、グラフの種類や、シンボルや線種等の外観を指定する情報や画像情報等は、ここでは例として、予め設定値として図示しないメモリ等に格納されており、時間グラフ情報構成部１０３がグラフを構成する際に適宜参照したり、利用したりするものとする。
【００４２】
（ステップＳ２０４）時間グラフ情報構成部１０３は、測定情報格納部１０７に格納された処理回数情報を順次読み出し、ステップＳ２０３において構成したグラフの、各処理回数情報が対応する測定情報がプロットされた位置に対応した位置に、処置回数情報を出力するための情報を付加する。この処理回数情報を出力するための情報が、どのようにステップＳ２０３において構成された、グラフを出力する情報に付加されるかは問わない。例えば、処理回数情報を出力するための情報が、ステップＳ２０３により構成されたグラフの情報に埋め込まれるよう付加されても良いし、このグラフの情報上にレイヤー等を用いて、重ねて表示できるように付加されても良い。この結果、時間グラフ情報が得られる。
【００４３】
（ステップＳ２０５）出力部１０５は、ステップＳ２０４において得られた時間グラフ情報を用いて時間グラフを出力、例えば表示する。なお、すでに他のグラフが出力されている場合、このグラフの出力を中止した後、時間グラフを出力する。
【００４４】
（ステップＳ２０６）出力部１０５は、時間グラフの出力を、回数グラフの出力に切り替えるか否かを判断する。例えば、出力部１０５は、指示受付部１０６が、ユーザからの切り替え指示等を受け付けたか否かを判断し、切り替え指示を受け付けた場合に、切り替えを判断しても良いし、時間グラフの出力から所定の時間が経過した場合に、切り替えを判断しても良い。切り替える場合、ステップＳ２０８に進み、切り替えない場合、ステップＳ２０７に進む。なお、この処理は、出力装置１０内の他の処理部が行うようにしても良い。
【００４５】
（ステップＳ２０７）出力部１０５は、グラフの出力を終了するか否かを判断する。例えば、出力部１０５は、ユーザからの終了指示等を受け付けたか否かにより出力の終了を判断しても良いし、時間グラフの出力から所定の時間が経過した場合に、終了を判断しても良い。終了する場合、グラフの出力処理を終了し、終了しない場合、ステップＳ２０６に戻る。なお、この処理は、出力装置１０内の他の処理部が行うようにしても良い。
【００４６】
（ステップＳ２０８）回数グラフ情報構成部１０４は、処理回数と測定情報との関係を示すグラフを出力する情報を構成する。具体的には、回数グラフ情報構成部１０４は、測定情報格納部１０７に格納された測定情報とこれに対応する処理回数情報を順次読み出し、処理回数の軸に沿って測定情報をプロットしたグラフを出力する情報を構成する。ここでは例として、回数グラフ情報構成部１０４は、グラフのＸ軸を処理回数情報を示す軸とし、Ｙ軸を測定情報の軸に設定し、メモリ等から読み出した測定情報とこれに対応する処理回数情報とを、それぞれＹ座標の値、Ｘ座標の値としてプロットして、グラフを出力するための情報を構成する。なお、ここでは例として、グラフの種類や、シンボルや線種等の外観を指定する情報や画像情報等は、予め設定値として図示しないメモリ等に格納されており、回数グラフ情報構成部１０４がグラフを構成する際に適宜参照したり、利用したりするものとする。
【００４７】
（ステップＳ２０９）回数グラフ情報構成部１０４は、測定情報格納部１０７に格納された時間情報を順次読み出し、ステップＳ２０８において構成したグラフの、各時間情報が対応する測定情報がプロットされた位置に対応した位置に、時間情報を出力するための情報を付加する。この時間情報を出力するための情報が、どのようにステップＳ２０８において構成されたグラフを出力する情報に付加されるかは問わない。例えば、時間情報を出力するための情報がステップＳ２０９により構成されたグラフの情報に埋め込まれるよう付加されても良いし、このグラフの情報上にレイヤー等を用いて、重ねて表示できるように付加されても良い。この結果、回数グラフ情報が得られる。
【００４８】
（ステップＳ２１０）出力部１０５は、ステップＳ２１０において得られた回数グラフ情報を用いて回数グラフを出力、例えば表示する。なお、すでに他のグラフが出力されている場合、このグラフの出力を中止した後、回数グラフを出力する。
【００４９】
（ステップＳ２１１）出力部１０５は、回数グラフの出力を、時間グラフの出力に切り替えるか否かを判断する。例えば、出力部１０５は、指示受付部１０６が、ユーザからの切り替え指示等を受け付けたか否かを判断し、受け付けた場合に、切り替えることを判断しても良いし、回数グラフの出力から所定の時間が経過した場合に、切り替えを判断しても良い。切り替える場合、ステップＳ２０３に戻り、切り替えない場合、ステップＳ２１２に進む。なお、この処理は、出力装置１０内の他の処理部が行うようにしても良い。
【００５０】
（ステップＳ２１２）出力部１０５は、グラフの出力を終了するか否かを判断する。例えば、出力部１０５は、指示受付部１０６が、ユーザからの終了指示等を受け付けたか否かにより出力の終了を判断しても良いし、時間グラフの出力から所定の時間が経過した場合に、終了を判断しても良い。終了する場合、グラフの出力処理を終了し、終了しない場合、ステップＳ２１１に戻る。なお、この処理は、出力装置１０内の他の処理部が行うようにしても良い。
【００５１】
なお、図２のフローチャートにおいて、電源オフや処理終了の割り込みにより処理は終了する。
なお、図２のフローチャートでは、時間グラフの出力、回数グラフの出力の順番に処理がおこなわれているが、この順番は逆になってもかまわない。
【００５２】
以下、本実施の形態における出力装置の具体的な動作について説明する。出力装置の概念図は図３である。ここでは、出力装置１０は出力デバイスとしてディスプレイ１１を有しているものとする。
【００５３】
まず、受付部１０１が、半田の状態についての複数の測定情報と、これらの測定情報に対応した時間情報および処理回数情報を受け付ける。そして、受付部１０１が受け付けた情報が、蓄積部１０２により、測定情報格納部１０７に格納される。例えば、受付部１０１が、これらの情報を、キーボード等の入力デバイス等を介して部分的に順次受け付けるようにし、受け付けた情報を、蓄積部１０２が順次蓄積するようにしても良いし、受付部１０１が、これらの情報が全て含まれるファイル等を、受付部１０１が読みだして受け付け、受け付けた情報を、蓄積部１０２が蓄積するようにしても良い。
【００５４】
図４には、測定情報格納部１０７に格納された測定情報と、これらの測定情報に対応した複数の時間情報および処理回数情報とを管理する測定情報管理表である。測定情報管理表は、「経過時間」、「印刷回数」、および「計測値」という属性を有している。「経過時間」は、ここでは、図示しない測定装置等により半田の状態の測定を開始した時点からの経過時間の情報であり、上述した時間情報に相当する。「印刷回数」は、半田を用いた印刷処理が行われた回数の情報であり、上述した処理回数情報に相当する。「計測値」は、半田の劣化度を示す値であり、上述した測定情報に相当する。この劣化度を示す値は、半田の粘度等や、酸化度等、劣化度を示すことができる値であれば、どのような値であっても良い。「計測値」は、例えば酸化度等を取得するために測定された半田の吸光度等であってもよい。ここでは、一つのレコードが、測定情報である「計測値」と、この測定情報を取得した際の時間情報である「経過時間」と、この測定情報を取得した際の処理回数情報である「印刷回数」とにより構成されているものとする。各レコードは、測定情報管理表の各行に対応するものとする。なお、上記の各情報は、説明のために用意された値であり、実測値とは異なる。「経過時間」の単位は「時間」、「印刷回数」の単位は「回」、であるとする。
【００５５】
つぎに、指示受付部１０６がキーボードやマウス等を介して、ユーザ等から計測値のグラフの出力指示を受け付けると、出力部１０５が、上述した時間グラフの出力を行うか否かを判断する。ここでは、初期設定として、Ｘ軸が経過時間である時間グラフを表示することが、設定されているものとする。このため、出力部１０５は、時間グラフを出力することを判断する。
【００５６】
時間グラフを出力することが判断されたため、時間グラフ情報構成部１０３は、測定情報格納部１０７から、図４に示した測定情報管理表により管理されている各レコードの「経過時間」の属性値と、「計測値」の属性値とを順次読み出す。そして、各レコードの「経過時間」の属性値をＸ座標の値、「計測値」の属性値をＹ座標の値とした座標位置をプロットしていき、Ｘ軸が経過時間、Ｙ軸が計測値の折れ線グラフを表示するための情報を構成する。
【００５７】
さらに、時間グラフ情報構成部１０３は、測定情報格納部１０７から、図４に示した測定情報管理表により管理されている各レコードの「印刷回数」の属性値を順次読み出し、順次読み出した「印刷回数」の属性値を用いて、この「印刷回数」と同じレコードの「計測値」の属性値がプロットされた座標位置の近傍に、「印刷回数」の属性値を表示するための情報を構成し、上述した折れ線グラフを表示するための情報に付加する。この「印刷回数」の属性値を表示するための情報は、ここでは、「印刷回数」の属性値を表す数字と、その周囲を枠で囲う図形およびこの図形とプロットした座標とを結ぶ直線の図形の画像情報との組み合わせにより構成された情報であるとする。
【００５８】
出力部１０５は、ディスプレイ１１に、時間グラフ情報構成部１０３が構成したグラフを表示する。
【００５９】
図５は、ディスプレイ１１に表示された時間グラフの表示例である。図に示すように、折れ線グラフの計測値がプロットされた点の近傍には、処理回数情報、ここでは印刷回数の値が表示される。
【００６０】
図５に示す時間グラフを利用することで、ユーザは、測定情報、ここでは計測値、の経時的な変化を認識することができると同時に、各計測値が測定された際の処理回数、ここでは印刷回数、を把握することができる。これにより、処理回数と経過時間との関係を把握しやすくなる。このため、例えば、経過時間の長さに対して、処理回数が増加していない期間があった場合、この期間においては、印刷等の処理が行われていなかったと推定することができる。このようにして、グラフ上において、印刷等の処理が行われている時間と処理が行われていない期間とを判別することができるため、ユーザが、半田を用いた処理が行われている状態に取得された測定情報であるか否かを考慮して、測定情報を適切に把握することが可能となる。これにより、処理時と非処理時とで劣化の速度が異なる半田の状態を、適切に監視したり、適切に解析したりすることが可能となる。例えば、図５に示す時間グラフにおいて、経過時間が「２４」から「４０」までの区間においては、他の区間よりも傾斜が緩やか、すなわち、計測値の単位時間あたりの変化量が小さくなっているが、グラフに表示される印刷回数の情報からは、この区間では、印刷回数が「１８」しか増加していないことが読み取れるため、この区間内に、印刷処理が行われていない期間があったことが推定できる。これにより、この区間内の半田の計測値の増加量の低下は、印刷処理が行われなかったことによるものと、原因を推定でき、この区間内においては、半田等に異常が生じていないことを判断することが可能となる。
【００６１】
次に、ユーザがマウス等を操作して、図５に示したグラフの下部に表示されている、Ｘ軸を処理回数に指定するためのチェックボックス５０１をオンにすると、指示受付部１０６は、回数グラフを出力する指示を受け付ける。そして、この指示に基づいて、出力部１０５は、現在表示されている時間グラフを、回数グラフに切り替えることを判断する。
【００６２】
回数グラフに切り替えることが判断されたため、回数グラフ情報構成部１０４は、測定情報格納部１０７から、図４に示した測定情報管理表により管理されている各レコードの「印刷回数」の属性値と、「計測値」の属性値とを順次読み出す。そして、各レコードの「印刷回数」の属性値をＸ座標の値、「計測値」の属性値をＹ座標の値とした座標位置をプロットしていき、Ｘ軸が印刷回数、Ｙ軸が計測値の折れ線グラフを表示するための情報を構成する。
【００６３】
さらに、回数グラフ情報構成部１０４は、測定情報格納部１０７から、図４に示した測定情報管理表により管理されている各レコードの「経過時間」の属性値を順次読み出し、順次読み出した「経過時間」の属性値を用いて、この「経過時間」と同じレコードの「計測値」の属性値がプロットされた座標位置の近傍に、「経過時間」の属性値を表示するための情報を構成し、上述した折れ線グラフを表示するための情報に付加する。この「経過時間」の属性値を表示するための情報は、ここでは、「経過時間」の属性値を表す数字と、その周囲を枠で囲う図形およびこの図形とプロットした座標とを結ぶ直線の図形の画像情報との組み合わせにより構成された情報であるとする。
【００６４】
出力部１０５は、ディスプレイ１１に、回数グラフ情報構成部１０４が構成したグラフを表示する。
【００６５】
図６は、ディスプレイ１１に表示された回数グラフの表示例である。図に示すように、折れ線グラフの計測値がプロットされた点の近傍には、時間情報、ここでは経過時間の値が表示される。
【００６６】
図６に示す時間グラフを利用することで、ユーザは、測定情報、ここでは計測値、の処理回数に対応した変化を認識することができると同時に、各計測値が測定された際の時間情報、ここでは経過時間、を把握することができる。これにより、処理回数と経過時間との関係を把握しやすくなる。このため、例えば、処理回数の長さに対して、経過時間の増加量が大きい期間があった場合、この期間においては、印刷等の処理が行われていなかったと推定することができる。このようにして、グラフ上において、印刷等の処理が行われている時間と処理が行われていない期間とを判別することができるため、ユーザが、半田を用いた処理が行われている状態に取得された測定情報であるか否かを考慮して、測定情報を適切に把握することが可能となる。これにより、処理時と非処理時とで劣化の速度が異なる半田の状態を、適切に監視したり、適切に解析したりすることが可能となる。
【００６７】
次に、ユーザがマウス等を操作して、図５に示したグラフの下部に表示されている、Ｘ軸を時間に指定するためのチェックボックス５００をオンにすると、指示受付部１０６は、時間グラフを出力する指示を受け付け、上述したように時間グラフが出力される。
【００６８】
以上、本実施の形態によれば、時間に沿って、測定情報をプロットしたグラフであって、測定情報がプロットされた位置に対応して、処理回数情報が出力されるグラフである時間グラフを出力するようにしたので、測定情報を取得した際の時間情報と、測定情報を取得した際の処理回数情報とを同時に把握することができ、半田の使用状態等を推定することが可能となり、半田の状態を適切に把握することができる。
【００６９】
また、本実施の形態によれば、処理回数に沿って、測定情報をプロットしたグラフであって、測定情報がプロットされた位置に対応して、時間情報が出力されるグラフである回数グラフを出力するようにしたので、測定情報を取得した際の時間情報と、測定情報を取得した際の処理回数情報とを同時に把握することができ、半田の使用状態等を推定することが可能となり、半田の状態を適切に把握することができる。
【００７０】
さらに、本実施の形態によれば、上述した時間グラフと回数グラフとを切り替えて表示することができるため、半田の状態の変化を把握しやすい方のグラフを選択的に表示させたり、異なる視点から半田の状態を把握したりすることが可能となり、半田の状態をより適切に把握することができる。
【００７１】
なお、本実施の形態によれば、時間グラフと回数グラフとを切り替えて出力する代わりに、時間グラフと回数グラフのいずれか一方だけを出力するようにしても良い。時間グラフだけを出力する場合、回数グラフ情報構成部１０４は省略可能であり、回数グラフだけを出力する場合、時間グラフ情報構成部１０３は、省略可能である。この場合においても、半田の状態を適切に把握することができるという効果がある。
【００７２】
また、本実施の形態において、時間グラフと回数グラフとを並べて、同時に出力するようにしても良いし、それぞれのグラフを配置変更の可能な異なるウインドウに個別に表示するようにしても良い。
【００７３】
なお、上記実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＭＰＵ等のプログラム実行部が読み出して実行することによって、各構成要素が実現され得る。かかることは、他の実施の形態においても同様である。
【００７４】
なお、上記実施の形態における出力装置を実現するソフトウェアは、以下のようなプログラムである。つまり、このプログラムは、コンピュータに、半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、前記時間に沿って、前記測定情報をプロットしたグラフであって、前記測定情報がプロットされた位置に対応して、前記処理回数情報が出力されるグラフである時間グラフを出力するための情報である時間グラフ情報を構成する時間グラフ情報構成ステップと、前記時間グラフ情報を出力する出力ステップとを実行させるためのプログラムである。
【００７５】
また、このプログラムは、コンピュータに、半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、前記処理回数に沿って、前記測定情報をプロットしたグラフであって、前記測定情報がプロットされた位置に対応して、前記時間情報が出力されるグラフである回数グラフを出力するための情報である回数グラフ情報を構成する回数グラフ情報構成ステップと、前記回数グラフ情報を出力する出力ステップとを実行させるためのプログラムである。
【００７６】
また、このプログラムは、コンピュータに、半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、前記時間に沿って、前記測定情報をプロットしたグラフであって、前記測定情報がプロットされた位置に対応して、前記処理回数情報が出力されるグラフである時間グラフを出力するための情報である時間グラフ情報を構成する時間グラフ情報構成ステップと、前記処理回数に沿って、前記測定情報をプロットしたグラフであって、前記測定情報がプロットされた位置に対応して、前記時間情報が出力されるグラフである回数グラフを出力するための情報である回数グラフ情報を構成する回数グラフ情報構成ステップと、前記時間グラフ情報と前記回数グラフ情報とを用いて、前記時間グラフと回数グラフとを切り替えて出力する出力ステップとを実行させるためのプログラムである。
【００７７】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。かかることは、他の実施の形態においても同様である。
【００７８】
また、このプログラムは、サーバなどからダウンロードされることによって実行されてもよく、所定の記録媒体（例えば、ＣＤ−ＲＯＭなどの光ディスクや磁気ディスク、半導体メモリなど）に記録されたプログラムが読み出されることによって実行されてもよい。かかることは、他の実施の形態においても同様である。
【００７９】
また、このプログラムを実行するコンピュータは、単数であってもよく、複数であってもよい。すなわち、集中処理を行ってもよく、あるいは分散処理を行ってもよい。かかることは、他の実施の形態においても同様である。
【００８０】
（実施の形態２）
図７は、本実施の形態における出力装置のブロック図である。
【００８１】
出力装置２０は、受付部１０１、蓄積部１０２、出力部１０５、指示受付部１０６、測定情報格納部１０７、判断部２０１、条件情報格納部２０２、属性情報格納部２０３、およびグラフ情報構成部２０４を具備する。
【００８２】
受付部１０１、蓄積部１０２，出力部１０５、指示受付部１０６、測定情報格納部１０７の構成については上記実施の形態１と同様であるので、詳細な説明は省略する。
【００８３】
判断部２０１は、測定情報格納部１０７に格納されている測定情報に対応した時間情報に応じて、半田の使用状況を判断する。ここでは特に、判断部２０１は、時間情報に応じて、半田が使用状態であるか否かを判断する。具体例としては、判断部２０１は、測定情報格納部１０７に格納されている測定情報のうちの、時間軸上で隣接した測定情報にそれぞれ対応する時間情報の差が、実質的に所定の値より大きい、または所定の値以上である場合に、これらの測定情報間の時間において半田が使用状態でないと判断する。あるいは、時間情報の差が、実質的に所定の値より小さい、または所定の値以下である場合に、これらの測定情報間の時間において半田が使用状態であると判断してもよい。この所定の値は、例えば、後述する条件情報格納部２０２に格納されており、判断部２０１は、判断を行う際に、この所定の値を条件情報格納部２０２から読み出す。なお、使用状態であるか否かの判断は、結果的に使用状態であるか否かが判断される判断であればよく、不使用状態であるか否かの判断も含むものとする。判断部２０１は、通常、ＭＰＵやメモリ等から実現され得る。判断部２０１の処理手順は、通常、ソフトウェアで実現され、当該ソフトウェアはＲＯＭ等の記録媒体に記録されている。但し、ハードウェア（専用回路）で実現しても良い。
【００８４】
条件情報格納部２０２は、判断部２０１が、半田が使用状態であるか否かを判断する際に用いる所定の値を設定する情報である条件情報を格納している。ここでは、判断部２０１がこの条件情報を読み出して、判断部２０１が所定の値を取得する。所定の値が、具体的には、時間の値である。条件情報と所定の値とが同じものであってもよい。条件情報格納部２０２には、工場出荷時等に、予めこの所定の値が格納されていても良いし、例えば指示受付部１０６が所定の値を受け付けるようにし、この指示受付部１０６が受け付けた所定の値が条件情報格納部２０２に蓄積されても良い。条件情報格納部２０２は、不揮発性の記録媒体が好適であるが、揮発性の記録媒体でも実現可能である。
【００８５】
属性情報格納部２０３は、グラフ情報構成部２０４が構成するグラフの出力属性を定義する情報であるグラフ属性情報を格納している。グラフの出力属性とは、例えば、点の色、点の形状、点のパターン、線の色、線種、背景の色、背景のパターン、背景等に表示する画像等である。なお、線種には、線を表示しない、という出力属性も含むものとする。また、属性情報格納部２０３は、グラフ属性情報に加えて、これらの属性を出力する際に用いる情報、例えば、点や背景のパターンや線種等を定義する情報や、色等を定義する情報を有していても良い。属性情報格納部２０３は、ここでは特に、半田が不使用である区間と、半田が使用中である区間とに、それぞれ対応した、異なるグラフ属性情報を有しているものとする。ここで述べる異なるグラフ属性情報とは、表示されるグラフの区間同士が、異なる区間であることが、ユーザが認識可能なように出力できるグラフ属性情報であればよく、グラフ属性情報同士が、部分的に一致していても良い。属性情報格納部２０３には、工場出荷時等に、予めグラフ属性情報が格納されていても良いし、例えば指示受付部１０６がグラフ属性情報を受け付けるようにし、この指示受付部１０６が受け付けたグラフ属性情報が、属性情報格納部２０３に蓄積されても良い。属性情報格納部２０３は、不揮発性の記録媒体が好適であるが、揮発性の記録媒体でも実現可能である。
【００８６】
グラフ情報構成部２０４は、測定情報と、処理回数情報と、判断部の判断結果とを用いて、処理回数に沿った測定情報のグラフを出力するための情報であって、半田の使用状況を示すための情報が含まれる情報であるグラフ情報を構成する。具体的には、グラフ情報構成部は、判断部２０１による判断の結果、使用状態でないと判断された区間内のグラフの出力属性を、使用状態であると判断されなかった時間内のグラフの出力属性とは異なる出力属性に設定したグラフ情報を構成する。例えば、使用状態である区間内のグラフの線の出力属性が、他の線の出力属性と異なるグラフ情報を構成する。また、判断部２０１が使用状態でないと判断した区間内のグラフの背景の出力属性が、他の背景の出力属性と異なるグラフ情報を構成するようにしてもよい。また、グラフの、判断部２０１が使用状態でないと判断した区間と、使用状態であると判断した区間との境界の背景に、線等を出力するグラフ情報を構成してもよい。これらのグラフの出力属性は、ここでは、上述した属性情報格納部２０３が格納しているグラフ属性情報を読み出すことで設定される。グラフ情報構成部２０４は、通常、ＭＰＵやメモリ等から実現され得る。グラフ情報構成部２０４の処理手順は、通常、ソフトウェアで実現され、当該ソフトウェアはＲＯＭ等の記録媒体に記録されている。但し、ハードウェア（専用回路）で実現しても良い。
【００８７】
次に、出力装置の動作について図８のフローチャートを用いて説明する。なお、ここでは、Ｘ軸を処理回数情報、Ｙ軸を測定情報としたグラフを出力する場合を例に挙げて説明する。なお、図８のフローチャートにおいて、グラフの出力指示を受け付ける前に、複数の測定情報と、これらに対応付けられた時間情報および処理回数情報が測定情報格納部１０７に格納されている、とする。また、グラフの出力指示を受け付ける前に、グラフ属性情報が属性情報格納部２０３に、また、判断部２０１が利用する条件情報が条件情報格納部２０２に、予め格納されているものとする。
【００８８】
（ステップＳ８０１）指示受付部１０６が、グラフの出力指示を受け付けたか否かを判断する。受け付けた場合、ステップＳ８０２に進み、受け付けていない場合、ステップＳ８０１に戻る。
【００８９】
（ステップＳ８０２）判断部２０１は、条件情報格納部２０２から条件情報を読み出し、所定の値を取得する。
【００９０】
（ステップＳ８０３）判断部２０１は、カウンターＫに１を代入する。
【００９１】
（ステップＳ８０４）判断部２０１は、Ｋ番目の測定情報に対応している時間情報を、測定情報格納部１０７から取得する。測定情報に対応している時間情報、とは、具体的には、測定情報を取得した際に取得した時間情報である。ここで述べるＫ番目の測定情報とは、測定された順番にソートした場合の、測定時期が早いものから数えてＫ番目の測定情報とする。
【００９２】
（ステップＳ８０５）判断部２０１は、測定情報格納部１０７に、Ｋ＋１番目の測定情報があるか否かを判断する。ある場合、ステップＳ８０６に進み、ない場合、ステップＳ８１２に進む。
【００９３】
（ステップＳ８０６）判断部２０１は、Ｋ＋１番目の測定情報に対応した時間情報を、測定情報格納部１０７から取得する。
【００９４】
（ステップＳ８０７）判断部２０１は、Ｋ＋１番目の時間情報と、Ｋ番目の時間情報との差を算出する。
【００９５】
（ステップＳ８０８）判断部２０１は、ステップＳ８０７で算出した差が、ステップＳ８０２で取得した所定の値以下であるか否かを判断する。所定の値以下の場合、ステップＳ８０９に進み、所定の値以下でない場合、ステップＳ８１０に進む。なお、所定の値に応じて、所定の値以下であるか否かを判断する代わりに、所定の値未満であるか否かを判断しても良い。また、所定の値以上、もしくは所定の値よりも大きいか否かを判断して、所定の値以上、もしくは所定の値よりも大きい場合にステップＳ８１０に進み、所定の値以上出ない場合、もしくは所定の値よりも大きくない場合にステップＳ８０９に進むようにしてもよい。
【００９６】
（ステップＳ８０９）判断部２０１は、Ｋを１インクリメントする。そして、ステップＳ８０４に戻る。
【００９７】
（ステップＳ８１０）判断部２０１は、Ｋ＋１番目の測定情報に対応した時間情報と、Ｋ番目の測定情報に対応した時間情報との間の期間が、半田が使用されていない期間、すなわち半田を用いた処理が行われていない期間であると判断し、Ｋ＋１番目の測定情報に対応した処理回数情報と、Ｋ番目の測定情報に対応した処理回数情報とを、測定情報格納部１０７から読み出し、図示しないメモリ等の記憶媒体に一時記憶する。そして、ステップＳ８０９に戻る。
【００９８】
（ステップＳ８１１）グラフ情報構成部２０４は、属性情報格納部２０３から、半田が使用されている期間用のグラフ属性情報と、半田が使用されていない期間用のグラフ属性情報とを取得する。
【００９９】
（ステップＳ８１２）グラフ情報構成部２０４は、測定情報格納部１０７に格納された測定情報とこれに対応する処理回数情報とを順次読み出し、処理回数に沿って測定情報をプロットしたグラフを出力する情報を構成する。具体例として、ここでは、グラフ情報構成部２０４は、グラフのＸ軸を処理回数の軸とし、Ｙ軸を測定情報に設定し、メモリ等から読み出した測定情報とこれに対応する処理回数情報とを、それぞれＹ座標の値、Ｘ座標の値としてプロットして、グラフを出力するための情報を構成する。このとき、ステップＳ８１０において蓄積した処理回数情報を用いて、この処理回数情報に挟まれた区間のグラフの出力属性を、ステップＳ８１１で取得した半田が使用されていない期間のグラフ属性情報により定義された出力属性に設定し、その他の区間のグラフの出力属性を、ステップＳ８１１で取得した半田が使用されている期間のグラフ属性情報により定義された出力属性に設定する。
【０１００】
（ステップＳ８１３）出力部１０５は、ステップＳ８１２において構成したグラフを出力するための情報を用いて、グラフを出力、例えば表示する。
【０１０１】
（ステップＳ８１４）出力部１０５は、グラフの出力を終了するか否かを判断する。例えば、出力部１０５は、指示受付部１０６が、ユーザからの終了指示等を受け付けたか否かにより出力の終了を判断しても良いし、グラフの出力から所定の時間が経過した場合に、終了を判断しても良い。終了する場合、グラフの出力処理を終了し、終了しない場合、ステップＳ８１４に戻る。なお、この処理は、出力装置１０内の他の処理部が行うようにしても良い。
【０１０２】
なお、ステップＳ８１０において、Ｋ＋１番目の測定情報と、Ｋ番目の測定情報とを、測定情報格納部１０７から読み出し、図示しないメモリ等の記憶媒体に一時記憶するようにし、ステップＳ８１２において、この蓄積された測定情報に挟まれた区間のグラフの出力属性を、ステップＳ８１１で取得した半田が使用されていない期間のグラフ属性情報により定義された出力属性に設定し、その他の区間のグラフの出力属性を、ステップＳ８１１で取得した半田が使用されている期間のグラフ属性情報により定義された出力属性に設定するようにしてもよい。
【０１０３】
なお、図８のフローチャートにおいて、電源オフや処理終了の割り込みにより処理は終了する。
【０１０４】
以下、本実施の形態における出力装置の具体的な動作について説明する。出力装置の概念図は図３と同様である。ただし、ここでは、出力装置１０の代わりに、出力装置２０が用いられるものとする。また、出力装置２０は、出力デバイスとしてディスプレイ１１を有しているものとする。
【０１０５】
ここでは、上記実施の形態１と同様に、図４と同様の測定情報管理表により、受付部１０１が受け付けた測定情報が管理されているものとする。
【０１０６】
まず、指示受付部１０６がキーボードやマウス等を介して、ユーザ等からグラフの出力指示を受け付けると、判断部２０１は、条件情報を条件情報格納部２０２から読み出し、所定の値を取得する。ここでは条件情報と所定の値が同じ情報であるとし、所定の値が、「５」であるとする。取得した値は、図示しないメモリ等に一時記憶しておく。
【０１０７】
次に、判断部２０１は、測定情報格納部１０７から、時間に沿って、Ｋ番目の測定情報とＫ＋１番目の測定情報とにそれぞれ対応した時間情報、ここでは「経過時間」の属性値、を、Ｋの値を１から１インクリメントしながら、順次取得し、その時間情報の差を算出する。そして、その時間情報の差が、条件情報から得られた所定の値である「５」以下であるか判断する。そして、時間情報の差が「５」以下でない場合、時間情報の差を求めた２つの測定情報に対応した２つの処理回数情報を、測定情報格納部１０７から取得し、メモリ等に一時記憶する。そして、同様の処理を、測定情報格納部１０７に格納されている、出力対象となっている全ての測定情報に対応した時間情報について行う。例えば、図４に示す測定情報管理表においては、「経過時間」が「８．９」と「１５」との間、および「２４」と「４０」との間の差が、所定の値である「５」よりも大きいため、これらに対応する「印刷回数」の属性値の組、すなわち「１２０」と「１４０」との組、および「２６２」と「２８０」との組が、図示しないメモリ等に蓄積する。
【０１０８】
図９は、属性情報格納部２０３に格納されているグラフ属性情報を管理するグラフ属性情報管理表である。グラフ属性情報管理表は、「クラス」および「グラフ属性」という属性を有している。「クラス」は、グラフの出力属性の組を管理する属性であり、「使用時」は、半田が使用されている期間に適用される出力属性の組であることを示し、「非使用時」は、半田が使用されていない期間に適用される出力属性の組であることを示す。「グラフ属性」は、グラフの出力属性を設定する属性であり、「ｌｉｎｅ−ｓｔｙｌｅ：」は、実線、点線等の線種、「ｓｙｍｂｏｌ−ｓｔｙｌｅ：」は丸、四角等の点の形状、を示す。なお、グラフ属性情報管理表の各列をレコードと呼ぶ。ここでは、「ｌｉｎｅ−ｓｔｙｌｅ：」の「ｓｏｌｉｄ」は実線、「ｄｏｔ」は点線、「ｓｙｍｂｏｌ−ｓｔｙｌｅ：」の「ｃｉｒｃｌｅ」は丸（○）、「ｃｒｏｓｓ」はバツ（×）を意味する。
【０１０９】
グラフ情報構成部２０４は、属性情報格納部２０３から、図９に示したような、半田が使用されている期間用のグラフ属性情報と、半田が使用されていない期間用のグラフ属性情報とを取得する。
【０１１０】
つぎに、グラフ情報構成部２０４は、測定情報格納部１０７から、図４に示した測定情報管理表により管理されている各レコードの「印刷回数」の属性値と、「計測値」の属性値とを順次読み出す。そして、各レコードの「印刷回数」の属性値をＸ座標の値、「計測値」の属性値をＹ座標の値とした座標位置をプロットしていき、Ｘ軸が経過時間、Ｙ軸が計測値の折れ線グラフを表示するための情報を構成する。
【０１１１】
ここで、グラフ情報構成部２０４は、判断部２０１がメモリ等に蓄積した処理回数情報の組、すなわち「印刷回数」の属性値の組により指定される区間内のグラフの出力属性を、図１０に示すグラフ属性情報管理表のうちの「クラス」属性が「非使用時」であるレコードの「グラフ属性」に設定する。また、その他の区間については、「クラス」属性が「使用時」であるレコードの「グラフ属性」に設定する。
【０１１２】
この結果、「印刷回数」が「１２０」と「１４０」との組、および「２６２」と「２８０」との組の間の区間のグラフの出力属性には、図９のグラフ属性情報管理表の、「非使用時」の「グラフ属性」の属性値が適用され、これらの区間のグラフの出力属性は、線種が「点線」に、点の形状が「クロス」に設定される。また、他の区間のグラフの出力属性には、図９のグラフ属性情報管理表の、「使用時」の「グラフ属性」の属性値が適用され、これらの区間のグラフの出力属性は、線種が「実線」に、点の形状が「丸」に設定される。この結果、グラフ情報構成部２０４が構成するグラフを表示するための情報であるグラフ情報は、半田の使用状況を示すための情報が含まれるグラフ情報となる。
【０１１３】
出力部１０５は、ディスプレイ１１に、グラフ情報構成部２０４が構成したグラフを表示する。
【０１１４】
図１０は、ディスプレイ１１に表示された時間グラフの表示例である。図に示すように、折れ線グラフの「印刷回数」が「１２０」と「１４０」との間の区間、および「２６２」と「２８０」との間の区間は、その他の区間と異なる出力属性で表示されることとなる。この結果、表示されるグラフは、半田の使用状況を示すための情報が含まれるグラフとなる。
【０１１５】
図１０に示すようなグラフを利用することで、ユーザは、測定情報、ここでは計測値、の処理回数に対応した変化を認識することができると同時に、半田を用いた印刷等の処理が行われている区間を判別することができる。この結果、ユーザが、半田を用いた処理が行われている状態に取得された測定情報であるか否か等を考慮して、測定情報を適切に把握することが可能となる。これにより、処理時と非処理時とで劣化の速度が異なる半田の状態を、適切に監視したり、適切に解析したりすることが可能となる。
【０１１６】
以上、本実施の形態によれば、処理回数に沿って、測定情報をプロットしたグラフに対して、半田の使用状況を示すための情報を付加して出力するようにしたので、半田の使用状況等をユーザが把握することができ、半田の状態を適切に把握することができる。
【０１１７】
なお、上記具体例においては、半田の使用時と非使用時の区間において、グラフの線種と点を変更するようにしたが、図１１に示すように、半田の使用時と非使用時の区間において、グラフの背景色やパターン等を、変更するようにして、半田の使用状況を示すようにしてもよい。この場合、例えば、グラフ属性情報に、グラフの背景の属性を指定する情報を加えるようにし、「使用時」と「非使用時」とで、その背景の属性値を異なる値に設定するようにすればよい。
【０１１８】
また、図１２に示すように、グラフの背景に、半田の使用時の区間と非使用時の区間の境界に沿って、線を出力するようにしても良い。この場合、例えば、「使用時」の領域と「非使用時」と領域の境界線を描くための属性値をグラフ属性情報に設定しておくようにし、このグラフ属性情報に基づいて、グラフ情報構成部２０４が、半田の使用時の区間と非使用時の区間の境界に沿った線を背景に描いたグラフを構成するようにすればよい。
【０１１９】
また、上記実施の形態においては、判断部２０１が、連続した測定情報間の時間が、所定の時間以上あいている場合に、非使用時であると判断するようにしたが、連続した測定情報間の時間と、その時間内の処理回数との比率が、所定の値以下または所定の値未満となったか否か、もしくは所定の値以上または所定の値よりも大きい値となったか否か等を判断することにより、その測定情報間の時間において、半田が使用時であったか非使用時であったかを判断部２０１が判断するようにしても良い。例えば、連続した測定情報間の時間を、その時間内における処理回数で除算した値が、所定の値以上である場合に、半田が非使用時であると判断するようにしても良い。この所定の値は、半田の使用時において得られた連続した測定情報間の時間の実測値を、その時間内における処理回数の実測値で除算した値等に応じて設定するようにすればよい。このようにすることで、半田の状態の測定の頻度やタイミング等にかかわらず、正確に、半田が使用時であるか否かを判断することが可能となる。
【０１２０】
なお、上記実施の形態における出力装置を実現するソフトウェアは、以下のようなプログラムである。つまり、このプログラムは、コンピュータに、半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、前記時間情報に応じて、半田の使用状況を判断する判断ステップと、前記測定情報と、前記処理回数情報と、前記判断部の判断結果とを用いて、処理回数に沿った測定情報のグラフを出力するための情報であって、半田の使用状況を示すための情報が含まれる情報であるグラフ情報を構成するグラフ情報構成ステップと、前記グラフ情報を出力する出力ステップとを実行させるためのプログラムである。
【０１２１】
（実施の形態３）
図１３は、本実施の形態における出力装置のブロック図である。
【０１２２】
出力装置３０は、受付部１０１、蓄積部１０２、第一グラフ情報構成部３０３、第二グラフ情報構成部３０４、出力部３０５、指示受付部１０６および測定情報格納部１０７を具備する。
【０１２３】
受付部１０１、蓄積部１０２、指示受付部１０６および測定情報格納部１０７の構成については、上記実施の形態１と同様であるので、説明は省略する。
【０１２４】
第一グラフ情報構成部３０３は、時間に沿って、測定情報をプロットしたグラフである第一グラフを出力するための情報である第一グラフ情報を構成する。具体的には、第一グラフ情報構成部３０３は、受付部１０１が受け付けた半田の状態について測定された測定情報と、時間情報とを、蓄積部１０２が蓄積したメモリ等の記録媒体から読み出す等により取得する。そして、測定情報とこれに対応付けられた時間情報と用いて、測定情報と時間との関係を示すグラフを出力、例えば表示や印刷するための第一グラフ情報を構成する。ここで述べるグラフとは、折れ線グラフや、棒グラフ等、時間軸に沿って測定情報を出力可能な情報であれば、どのようなグラフであってもよい。グラフの出力属性、例えば、点の色、点の形状、線の色、線種などは、予め設定されていても良いし、グラフを出力する指示とともに、属性を指定する情報を受け付けても良い。第一グラフ情報構成部３０３は、この属性を指定する情報を等に応じたグラフの出力属性等を、図示しないメモリ等の記録媒体から読み出して、グラフに適用する。「時間に沿って、測定情報をプロットしたグラフ」とは、例えば、時間軸をＸ軸として、測定情報をＹ軸としたグラフ、もしくは時間軸をＹ軸として、測定情報をＸ軸としたグラフである。なお、このように、時間情報と測定情報とを用いてグラフを出力する情報を構成するための処理や構造は、グラフを作成する装置やソフトウェア等により公知の技術であるので、ここでは詳細な説明は省略する。第一グラフ情報構成部３０３は、通常、ＭＰＵやメモリ等から実現され得る。第一グラフ情報構成部３０３の処理手順は、通常、ソフトウェアで実現され、当該ソフトウェアはＲＯＭ等の記録媒体に記録されている。但し、ハードウェア（専用回路）で実現しても良い。
【０１２５】
第二グラフ情報構成部３０４は、処理回数に沿って、測定情報をプロットしたグラフである第二グラフを出力するための情報である第二グラフ情報を構成する。具体的には、第二グラフ情報構成部３０４は、受付部１０１が受け付けた半田の状態について測定された測定情報と、処理回数情報とを、蓄積部１０２が蓄積したメモリ等の記録媒体から読み出す等により取得する。そして、測定情報とこれに対応付けられた処理回数情報と用いて、測定情報と処理回数との関係を示すグラフを出力、例えば表示や印刷するための第二グラフ情報を構成する。ここで述べるグラフとは、折れ線グラフや、棒グラフ等、処理回数を示す軸に沿って測定情報を出力可能な情報であれば、どのようなグラフであってもよい。グラフの出力属性、例えば、点の色、点の形状、線の色、線種などは、予め設定されていても良いし、グラフを出力する指示とともに、属性を指定する情報を受け付けても良い。第二グラフ情報構成部３０４は、この属性を指定する情報を等に応じたグラフの出力属性等を、図示しないメモリ等の記録媒体から読み出して、グラフに適用する。「処理回数に沿って、測定情報をプロットしたグラフ」とは、例えば、処理回数の軸をＸ軸として、測定情報をＹ軸としたグラフ、もしくは処理回数の軸をＹ軸として、測定情報をＸ軸としたグラフである。なお、このように、処理回数情報と測定情報とを用いてグラフを出力する情報を構成するための処理や構造は、グラフを作成する装置やソフトウェア等により公知の技術であるので、ここでは詳細な説明は省略する。第二グラフ情報構成部３０４は、通常、ＭＰＵやメモリ等から実現され得る。第二グラフ情報構成部３０４の処理手順は、通常、ソフトウェアで実現され、当該ソフトウェアはＲＯＭ等の記録媒体に記録されている。但し、ハードウェア（専用回路）で実現しても良い。
【０１２６】
出力部３０５は、第一グラフ情報と第二グラフ情報とを用いて、第一グラフと第二グラフとを切り替えて出力する。具体的には、第一グラフ情報構成部３０３から第一グラフ情報を取得して第一グラフを出力し、第二グラフ情報構成部３０４から第二グラフ情報を取得して第二グラフを出力する。第一グラフと第二グラフとを切り替えるタイミングやトリガー等は問わない。例えば、定期や不定期等の所定の時間毎に、第一グラフと第二グラフとを切り替えて表示するようにしてもよい。また、ユーザからの切り替え指示や、いずれか一方のグラフを出力する指示を受け付けた場合に、この指示に従って第一グラフと第二グラフとを切り替えて出力しても良い。ここで述べる出力とは、ディスプレイへの表示、プリンタによる紙等への印字、外部の装置への送信、記録媒体等への蓄積等を含む概念である。出力部３０５は、ディスプレイやプリンタ等の出力デバイスを含むと考えても含まないと考えても良い。出力部３０５は、出力デバイスのドライバーソフトまたは、出力デバイスのドライバーソフトと出力デバイス等で実現され得る。
【０１２７】
次に、出力装置の動作について図１４のフローチャートを用いて説明する。なお、ここでは、Ｘ軸を処理回数情報または時間情報、Ｙ軸を測定情報としたグラフを出力する場合を例に挙げて説明する。なお、図１４のフローチャートにおいて、グラフの出力指示を受け付ける前に、複数の測定情報と、これらに対応付けられた時間情報および処理回数情報が測定情報格納部１０７に格納されている、とする。
【０１２８】
（ステップＳ１４０１）指示受付部１０６が、グラフの出力指示を受け付けたか否かを判断する。受け付けた場合、ステップＳ１４０２に進み、受け付けていない場合、ステップＳ１４０１に戻る。
【０１２９】
（ステップＳ１４０２）出力部３０５は、第一グラフを出力するか否かを判断する。例えば、出力部３０５は、指示受付部１０６の受け付けた出力指示が、第一グラフを出力する指示であるか否かを判断する。あるいは、予め、初期設定等により、第一グラフを出力するよう指定されているか否かを判断する。第一グラフを出力する場合、ステップＳ１４０３に進み、第一グラフを出力しない場合、ステップＳ１４０７に進む。なお、この処理は、出力装置３０内の他の処理部が行うようにしても良い。
【０１３０】
（ステップＳ１４０３）第一グラフ情報構成部３０３は、測定情報格納部１０７に格納された測定情報とこれに対応する時間情報を順次読み出し、時間軸に沿って測定情報をプロットしたグラフを出力する情報である第一グラフ情報を構成する。具体例として、ここでは、第一グラフ情報構成部３０３は、グラフのＸ軸を時間軸とし、Ｙ軸を測定情報に設定し、メモリ等から読み出した測定情報とこれに対応する時間情報とを、それぞれＹ座標の値、Ｘ座標の値としてプロットして、第一グラフを出力するための第一グラフ情報を構成する。なお、グラフの種類や、シンボルや線種等の外観を指定する情報や画像情報等は、ここでは例として、予め設定値として図示しないメモリ等に格納されており、第一グラフ情報構成部３０３がグラフを構成する際に適宜参照したり、利用したりするものとする。
【０１３１】
（ステップＳ１４０４）出力部３０５は、ステップＳ１４０３において得られた第一グラフ情報を用いて第一グラフを出力、例えば表示する。なお、すでに他のグラフが出力されている場合、このグラフの出力を中止した後、第一グラフを出力する。
【０１３２】
（ステップＳ１４０５）出力部３０５は、第一グラフの出力を、第二グラフの出力に切り替えるか否かを判断する。例えば、出力部３０５は、指示受付部１０６が、ユーザからの切り替え指示等を受け付けたか否かを判断し、切り替え指示を受け付けた場合に、切り替えを判断しても良いし、第一グラフの出力から所定の時間が経過した場合に、切り替えを判断しても良い。ステップＳ２０８に進み、切り替えない場合、ステップＳ２０７に進む。なお、この処理は、出力装置１０内の他の処理部が行うようにしても良い。
【０１３３】
（ステップＳ１４０６）出力部３０５は、グラフの出力を終了するか否かを判断する。例えば、出力部３０５は、ユーザからの終了指示等を受け付けたか否かにより出力の終了を判断しても良いし、第一グラフの出力から所定の時間が経過した場合に、終了を判断しても良い。終了する場合、グラフの出力処理を終了し、終了しない場合、ステップＳ１４０５に戻る。なお、この処理は、出力装置３０内の他の処理部が行うようにしても良い。
【０１３４】
（ステップＳ１４０７）第二グラフ情報構成部３０４は、測定情報格納部１０７に格納された測定情報とこれに対応する処理回数情報を順次読み出し、処理回数の軸に沿って測定情報をプロットしたグラフを出力する第二グラフ情報を構成する。具体例として、ここでは、第二グラフ情報構成部３０４は、グラフのＸ軸を処理回数情報を示す軸とし、Ｙ軸を測定情報の軸に設定し、メモリ等から読み出した測定情報とこれに対応する処理回数情報とを、それぞれＹ座標の値、Ｘ座標の値としてプロットして、第二グラフを出力するための第二グラフ情報を構成する。なお、ここでは例として、グラフの種類や、シンボルや線種等の外観を指定する情報や画像情報等は、予め設定値として図示しないメモリ等に格納されており、第二グラフ情報構成部３０４がグラフを構成する際に適宜参照したり、利用したりするものとする。
【０１３５】
（ステップＳ１４０８）出力部３０５は、ステップＳ１４０７において得られた第二グラフ情報を用いて第二グラフを出力、例えば表示する。なお、すでに他のグラフが出力されている場合、このグラフの出力を中止した後、第二グラフを出力する。
【０１３６】
（ステップＳ１４０９）出力部３０５は、第二グラフの出力を、第一グラフの出力に切り替えるか否かを判断する。例えば、出力部３０５は、指示受付部１０６が、ユーザからの切り替え指示等を受け付けたか否かを判断し、受け付けた場合に、切り替えることを判断しても良いし、第二グラフの出力から所定の時間が経過した場合に、切り替えを判断しても良い。切り替える場合、ステップＳ１４０３に戻り、切り替えない場合、ステップＳ１４１０に進む。なお、この処理は、出力装置３０内の他の処理部が行うようにしても良い。
【０１３７】
（ステップＳ１４１０）出力部３０５は、グラフの出力を終了するか否かを判断する。例えば、出力部１０５は、指示受付部１０６が、ユーザからの終了指示等を受け付けたか否かにより出力の終了を判断しても良いし、第一グラフの出力から所定の時間が経過した場合に、終了を判断しても良い。終了する場合、グラフの出力処理を終了し、終了しない場合、ステップＳ１４０９に戻る。なお、この処理は、出力装置３０内の他の処理部が行うようにしても良い。
【０１３８】
なお、図１４のフローチャートにおいて、電源オフや処理終了の割り込みにより処理は終了する。
なお、図１４のフローチャートでは、第一グラフの出力、第二グラフの出力の順番に処理がおこなわれているが、この順番は逆になってもかまわない。
【０１３９】
以下、本実施の形態における出力装置の具体的な動作について説明する。出力装置の概念図は図３と同様である。ただし、ここでは、出力装置１０の代わりに、出力装置３０が用いられるものとする。また、出力装置３０は、出力デバイスとしてディスプレイ１１を有しているものとする。
【０１４０】
ここでは、上記実施の形態１と同様に、図４と同様の測定情報管理表により、受付部１０１が受け付けた測定情報が管理されているものとする。
【０１４１】
指示受付部１０６がキーボードやマウス等を介して、ユーザ等からグラフの出力指示を受け付けると、出力部３０５が、上述した第一グラフの出力を行うか否かを判断する。ここでは、初期設定として、Ｘ軸が経過時間である第一グラフを表示することが、設定されているものとする。このため、出力部３０５は、第一グラフを出力することを判断する。
【０１４２】
第一グラフを出力することが判断されたため、第一グラフ情報構成部３０３は、測定情報格納部１０７から、図４に示した測定情報管理表により管理されている各レコードの「経過時間」の属性値と、「計測値」の属性値とを順次読み出す。そして、各レコードの「経過時間」の属性値をＸ座標の値、「計測値」の属性値をＹ座標の値とした座標位置をプロットしていき、Ｘ軸が経過時間、Ｙ軸が計測値の折れ線グラフを表示するための第一グラフ情報を構成する。
【０１４３】
出力部３０５は、ディスプレイ１１に、第一グラフ情報構成部３０３が構成したグラフを表示する。
【０１４４】
図１５は、ディスプレイ１１に表示された第一グラフの表示例である。
【０１４５】
次に、ユーザがマウス等を操作して、図１５に示したグラフの下部に表示されている、Ｘ軸を処理回数に指定するためのチェックボックス１５０１をオンにすると、指示受付部１０６は、第二グラフを出力する指示を受け付ける。そして、この指示に基づいて、出力部３０５は、現在表示されている第一グラフを、第二グラフに切り替えることを判断する。
【０１４６】
第二グラフに切り替えることが判断されたため、第二グラフ情報構成部３０４は、測定情報格納部１０７から、図４に示した測定情報管理表により管理されている各レコードの「印刷回数」の属性値と、「計測値」の属性値とを順次読み出す。そして、各レコードの「印刷回数」の属性値をＸ座標の値、「計測値」の属性値をＹ座標の値とした座標位置をプロットしていき、Ｘ軸が印刷回数、Ｙ軸が計測値の折れ線グラフを表示するための第二グラフ情報を構成する。
【０１４７】
出力部１０５は、ディスプレイ１１に、第二グラフ情報構成部３０４が構成したグラフを表示する。
【０１４８】
図１６は、ディスプレイ１１に表示された第二グラフの表示例である。
【０１４９】
次に、ユーザがマウス等を操作して、図１５に示したグラフの下部に表示されている、Ｘ軸を時間に指定するためのチェックボックス１５００をオンにすると、指示受付部１０６は、第一グラフを出力する指示を受け付け、上述したように第一グラフが出力される。
【０１５０】
このように、第一グラフと第二グラフとを適宜切り替えることで、ユーザは、測定情報、ここでは計測値、の経時的な変化、及び各計測値が測定された際の処理回数、ここでは印刷回数、を把握することができる。これにより、処理回数と経過時間との関係を把握しやすくなる。このため、例えば、経過時間の長さに対して、処理回数が増加していない期間があった場合、この期間においては、印刷等の処理が行われていなかったと推定することができる。このようにして、グラフ上において、印刷等の処理が行われている時間と処理が行われていない期間とを判別することができるため、ユーザが、半田を用いた処理が行われている状態に取得された測定情報であるか否かを考慮して、測定情報を適切に把握することが可能となる。これにより、処理時と非処理時とで劣化の速度が異なる半田の状態を、適切に監視したり、適切に解析したりすることが可能となる。
【０１５１】
以上、本実施の形態によれば、時間に沿って、測定情報をプロットしたグラフである第一グラフと、処理回数に沿って、測定情報をプロットしたグラフである第二グラフとを切り替えて表示することができるため、半田の使用状態等を推定することが可能となり、半田の状態を適切に把握することができる。
【０１５２】
また、本実施の形態によれば、第一グラフと第二グラフとを切り替えて出力するため、グラフを出力するための出力サイズ、具体的には表示サイズ等を小さくすることができ、グラフを出力するディスプレイ等を小型化でき、省スペース化を図ることができる。
【０１５３】
なお、上記各実施の形態における出力装置を実現するソフトウェアは、以下のようなプログラムである。つまり、このプログラムは、コンピュータに、半田の状態について測定された情報である測定情報と、当該測定情報を取得した時間についての情報である時間情報と、当該測定情報を取得した際に前記半田を用いて行われていた処理の回数の情報である処理回数情報とを、受け付ける受付ステップと、前記測定情報と、前記処理回数情報とを用いて、処理回数に沿った測定情報のグラフである第一グラフを出力するための情報である第一グラフ情報を構成する第一グラフ情報構成ステップと、前記測定情報と、前記時間情報とを用いて、時間に沿った測定情報のグラフである第二グラフを出力するための情報である第二グラフ情報を構成する第二グラフ情報構成ステップと、前記第一グラフ情報と前記第二グラフ情報とを用いて、前記第一グラフと第二グラフとを切り替えて出力する出力ステップとを実行させるためのプログラムである。
【０１５４】
なお、上記各実施の形態において、各処理（各機能）は、単一の装置（システム）によって集中処理されることによって実現されてもよく、あるいは、複数の装置によって分散処理されることによって実現されてもよい。
【０１５５】
また、上記各実施の形態において、一の装置に存在する２以上の通信手段（情報送信部など）は、物理的に一の媒体で実現されても良いことは言うまでもない。
【０１５６】
本発明は、以上の実施の形態に限定されることなく、種々の変更が可能であり、それらも本発明の範囲内に包含されるものであることは言うまでもない。
【０１５７】
また、上記各実施の形態では、出力装置がスタンドアロンである場合について説明したが、出力装置は、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【産業上の利用可能性】
【０１５８】
以上のように、本発明にかかる出力装置等は、半田の状態についての測定情報等を、グラフ等を用いて出力する出力装置等として適しており、特に、半田の測定情報を、時間や処理回数等に沿ったグラフとして出力する出力装置等として有用である。
【図面の簡単な説明】
【０１５９】
【図１】実施の形態１における出力装置のブロック図
【図２】同出力装置の動作について説明するフローチャート
【図３】同出力装置の概念図
【図４】同出力装置の測定情報管理表を示す図
【図５】同出力装置の表示例を示す図
【図６】同出力装置の表示例を示す図
【図７】実施の形態２における出力装置のブロック図
【図８】同出力装置の動作について説明するフローチャート
【図９】同出力装置のグラフ属性情報管理表を示す図
【図１０】同出力装置の表示例を示す図
【図１１】同出力装置の表示例を示す図
【図１２】同出力装置の表示例を示す図
【図１３】実施の形態３における出力装置のブロック図
【図１４】同出力装置の動作について説明するフローチャート
【図１５】同出力装置の表示例を示す図
【図１６】同出力装置の表示例を示す図
【符号の説明】
【０１６０】
１０、２０、３０  出力装置
１１  ディスプレイ
１０１  受付部
１０２  蓄積部
１０３  時間グラフ情報構成部
１０４  回数グラフ情報構成部
１０５、３０５  出力部
１０６  指示受付部
１０７  測定情報格納部
２０１  判断部
２０２  条件情報格納部
２０３  属性情報格納部
２０４  グラフ情報構成部
３０３  第一グラフ情報構成部
３０４  第二グラフ情報構成部
５００、５０１、１５００、１５０１  チェックボックス
【図１】
2008062265.tif 000003
【図２】
2008062265.tif 000004
【図３】
2008062265.tif 000005
【図４】
2008062265.tif 000006
【図５】
2008062265.tif 000007
【図６】
2008062265.tif 000008
【図７】
2008062265.tif 000009
【図８】
2008062265.tif 000010
【図９】
2008062265.tif 000011
【図１０】
2008062265.tif 000012
【図１１】
2008062265.tif 000013
【図１２】
2008062265.tif 000014
【図１３】
2008062265.tif 000015
【図１４】
2008062265.tif 000016
【図１５】
2008062265.tif 000017
【図１６】
2008062265.tif 000018